(57)【要約】【課題】手持ちの画像データの数量にかかわらず一定ページ数のフォトブックを作成するための、フォトブックデータ処理装置の提供を目的とする。【解決手段】本発明のフォトブックデータ処理装置は、外部指示を受けてフォトブックのサイズを設定するフォトブックサイズ選択部１と、画像データを受け付ける画像データ受付部３と、画像データ受付部３が受け付けた中ページ用画像データを用いて画像ページデータを作成する画像ページデータ作成部７と、画像ページデータのページ数が当該選択されたフォトブックサイズに応じたフォトブックの中ページの規定枚数に不足する場合に、不足分のページデータを、予め準備された画像データを用いて補足ページデータとして作成する補足ページデータ作成部８と、を備える。【選択図】図１
2011110775.tif 000002
【特許請求の範囲】
【請求項１】
外部指示を受けてフォトブックのサイズを設定するフォトブックサイズ選択部と、
画像データを受け付ける画像データ受付部と、
前記画像データ受付部が受け付けた中ページ用画像データを用いて画像ページデータを作成する画像ページデータ作成部と、
前記画像ページデータのページ数が前記選択されたフォトブックサイズに応じた前記フォトブックの中ページの規定枚数に不足する場合に、不足分のページデータを、予め準備された画像データを用いて補足ページデータとして作成する補足ページデータ作成部と、を備えることを特徴とするフォトブックデータ処理装置。
【請求項２】
前記画像データ受付部は、入力された複数の画像データから選択したものを受け付けることを特徴とする、請求項１に記載のフォトブックデータ処理装置。
【請求項３】
前記補足ページデータ作成部は、前記補足ページデータとして、メモ帳画像データを用いたメモ帳ページデータを作成することを特徴とする、請求項１又は２に記載のフォトブックデータ処理装置。
【発明の詳細な説明】
【技術分野】
【０００１】
この発明は、デジタルカメラなどによって撮影されたデジタル画像がプリンタにより印刷された記録紙を用いて形成される、フォトブックを作成するためのフォトブックデータ処理装置に関する。
【背景技術】
【０００２】
デジタルカメラの普及に伴い写真プリントの多様化が進み、近年では従来のＬサイズやＥサイズなどの通常プリントに加えて、記録紙の端部に綴じ代となる領域を作り出す形態で画像データをプリントし、これを綴じて表紙をつけアルバム化した所謂フォトブックが急速に普及している。
【０００３】
フォトブックは写真店などの店頭でセルフサービスによって簡単に注文が可能で、プレゼントにも適しているため、結婚式や運動会等の行事毎に何冊もフォトブックを作成したいというユーザの要求がある。
【０００４】
一方写真店側には、フォトブック作成の手間を削減してコストを下げ、利益を上げたいという要求がある。そのため、作成するフォトブックの厚みや表紙の形態などを一定のものとし、一定の作業で同一形態のフォトブックを効率よく作成することが望ましい。
【０００５】
フォトブックの厚みを一定にするためには、プリントする画像データを規定枚数に定める必要があるが、写真店が利益を上げるためには、ある程度多くの枚数を規定枚数とする必要がある。しかし、行事毎にこまめにフォトブックを作成したいユーザにとっては、画像データを一冊のフォトブック作成に必要な規定枚数分用意できないために、フォトブックを作成できないという弊害が生じる。
【０００６】
このような、写真店とユーザ双方の要求を満たすフォトブックの作成に関連する先行技術文献として、特許文献１がある。特許文献１ではフォトブックを写真アルバムと称するため、以下写真アルバムとして特許文献１の技術を説明する。
【０００７】
特許文献１で開示されている写真アルバム作製システムは、ユーザから注文された写真画像の数量が少ない場合に、後で別途プリントした写真片を追加的に貼付することが出来る画像追加用スペースを有するページを設けることにより、写真アルバムのページ数を一定にすることができ、背表紙の幅や綴じ部材の寸法が一致した、同一形態の写真アルバムを作成することが出来るものである。
【先行技術文献】
【特許文献】
【０００８】
【特許文献１】特開２００８−２４６７０９号公報
【発明の概要】
【発明が解決しようとする課題】
【０００９】
しかしながら、特許文献１に記載の写真アルバム作製システムでは、画像追加用スペースは写真記録紙の一部を窓状に切り抜くことで形成する必要がある。また、後で別途プリントした写真片を貼付可能とするため、貼付面は粘着層を有するものとし、この粘着層を保護するための雛形シートの装着するため、画像追加用スペースを有するページの作成には、通常の写真プリントと異なる煩雑な作業を要するという問題がある。
【００１０】
そこで、本発明は上述の問題点に鑑み、手持ちの画像データの数量にかかわらず一定ページ数のフォトブックを作成するための、フォトブックデータ処理装置の提供を目的とする。
【課題を解決するための手段】
【００１１】
本発明のフォトブックデータ処理装置は、外部指示を受けてフォトブックのサイズを設定するフォトブックサイズ選択部と、画像データを受け付ける画像データ受付部と、画像データ受付部が受け付けた中ページ用画像データを用いて画像ページデータを作成する画像ページデータ作成部と、画像ページデータのページ数が当該選択されたフォトブックサイズに応じたフォトブックの中ページの規定枚数に不足する場合に、不足分のページデータを、予め準備された画像データを用いて補足ページデータとして作成する補足ページデータ作成部と、を備える。
【発明の効果】
【００１２】
本発明のフォトブックデータ処理装置は、画像データ受付部が受け付けた中ページ用画像データを用いて画像ページデータを作成する画像ページデータ作成部と、画像ページデータのページ数が当該選択されたフォトブックサイズに応じたフォトブックの中ページの規定枚数に不足する場合に、不足分のページデータを、予め準備された画像データを用いて補足ページデータとして作成する補足ページデータ作成部と、を備える。これにより、ユーザの手持ちの画像データがフォトブックの規定枚数に不足していても、規定枚数のフォトブックを作成することができ、写真店は効率よくフォトブックを作成できる。
【図面の簡単な説明】
【００１３】
【図１】実施の形態１のフォトブックデータ処理装置の構成図である。
【図２】実施の形態１のフォトブックデータ処理装置によるフォトブック作成工程を示すフローチャートである。
【図３】実施の形態１のフォトブックデータ処理装置によるフォトブック作成工程を示すフローチャートである。
【図４】実施の形態１のフォトブックを構成する各ページデータの作成方法を示す図である。
【図５】実施の形態１のフォトブックの構成例を示す図である。
【発明を実施するための形態】
【００１４】
（実施の形態１）
＜構成＞
図１に、本実施の形態のフォトブックデータ処理装置の構成を示す。本実施の形態のフォトブックデータ処理装置１０は、フォトブックサイズ選択部１、背景画像選択部２、画像データ受付部３、データ数判定部４、画像データ追加判定部５を備えている。
【００１５】
フォトブックサイズ選択部１は、外部指示を受けてフォトブックのサイズを選択し、フォトブックの規定のページ数を設定する。背景画像選択部２は、外部指示を受けてフォトブックの表紙や中ページの背景画像を選択する。画像データ受付部３は、本装置の上位システム（図示せず）から入力された複数の画像データのうち、フォトブックの作成に用いる画像データを選択して受け付ける。データ数判定部４は、画像データ受付部３で受け付けた画像データで構成されるページ数が、フォトブックの規定のページ数を満たしているか否かを判定する。画像データ追加判定部５は、データ数判定部４が規定のページ数を満たしていないと判定した場合に外部指示を受け、画像データ受付部３にて再度画像データを追加選択するか否かを判定する。
【００１６】
さらに、フォトブックデータ処理装置１０は、表紙ページデータ作成部６、画像ページデータ作成部７、補足ページデータ作成部８を備える。
【００１７】
表紙ページデータ作成部６は、背景画像選択部２で選択された表紙ページ用の背景画像と画像データ受付部３で選択された表紙ページ用の画像データを合成して表紙ページデータを作成する。画像ページデータ作成部７は、同様に中ページ用の背景画像と画像データを合成して画像ページデータを作成する。補足ページデータ作成部８は、データ数判定部４で画像ページデータのページ数が規定のページ数に不足していると判定された場合に、予め準備した画像データと背景画像選択部２で選択された背景画像を合成して、不足ページ分の補足ページデータを作成する。例えばメモ帳画像データを用意しておき、メモ帳ページデータを補足ページデータとして作成する。
【００１８】
すなわち、本実施の形態のフォトブックデータ処理装置は、外部指示を受けてフォトブックのサイズを設定するフォトブックサイズ選択部１と、画像データを受け付ける画像データ受付部３と、画像データ受付部３が受け付けた中ページ用画像データを用いて画像ページデータを作成する画像ページデータ作成部７と、画像ページデータのページ数が選択されたフォトブックサイズに応じたフォトブックの中ページの規定枚数に不足する場合に、不足分のページデータを、予め準備された画像データを用いて補足ページデータとして作成する補足ページデータ作成部８と、を備える。このように、フォトブックの総ページ数を規定数に設定し、この規定数に対して中ページに配置する画像データ数が不足する場合も、不足分の補足ページデータを作成して補うため、ユーザの手持ちの画像が少なくても、一定のページ数の同一形態のフォトブックを効率よく作成することが出来る。
【００１９】
さらに、画像データ受付部３は、入力された複数の画像データから選択したものを受け付ける。このような構成によっても、ユーザの手持ちの画像が少なくても、一定のページ数の同一形態のフォトブックを効率よく作成することが出来る。
【００２０】
また、補足ページデータ作成部８は、補足ページデータとして、メモ帳画像データを用いたメモ帳ページデータを作成する。これにより、フォトブックに日記やコメントなどの思い出を写真と共に記録して残すことができ、新たな付加価値とすることができる。
【００２１】
＜作成工程＞
図２に、本実施の形態のフォトブックデータ処理装置によるフォトブック作成フローを示す。本実施の形態のフォトブックデータ処理装置は、まずフォトブックサイズ選択部１がユーザの外部指示によりフォトブックのサイズを選択し、フォトブックの規定枚数を設定する（ステップＳ１）。フォトブックの規定枚数は、フォトブックのサイズに応じて規定されているものである。次に、背景画像選択部２がユーザの外部指示によりフォトブックの表紙、中ページ及び補足ページの背景画像を選択する（ステップＳ２）。その後、画像データ受付部３がユーザの外部指示により、上位システム（図示せず）より入力された複数の画像データのうちフォトブックの作成に用いる画像データを選択する（ステップＳ３）。
【００２２】
次に、ステップＳ３で選択した画像データ数がフォトブックの規定枚数を満たすか否かをデータ数判定部４が判定する（ステップＳ４）。画像データ数が規定枚数を満たしていればフォトブックデータの作成を行うが（ステップＳ６）、画像データ数が規定の枚数を満たしておらず画像が不足するページが生じる場合には、画像データ追加判定部５が再度画像データを追加選択するか否かを、ユーザからの指示を受けて判定する（ステップＳ５）。追加選択する場合にはステップＳ３に戻って画像データ受付部３が画像データを更に取得し、追加選択しなければそのままフォトブックデータの作成を行う（ステップＳ６）。
【００２３】
フォトブックデータの作成フローについては図３に沿って説明する。まず、図２のステップＳ３で画像データ受付部３が受け付けた表紙ページ用の画像データ、ステップＳ２で背景画像選択部３が選択した表紙ページの背景画像を用いて、表紙ページデータ作成部６が表紙ページデータを作成する（ステップＳ７）。同様にして、画像ページデータ作成部７は中ページ用の背景画像と画像データを用いて、画像ページデータを作成する（ステップＳ８）。
【００２４】
そして、ステップＳ８で画像ページデータ作成部７が作成した画像ページデータのページ数が、フォトブックの規定枚数Ｎを満たしているか否かをデータ数判定部４が判定し（ステップＳ９）、満たしている場合は表紙ページデータと画像ページデータをフォトブックデータとする。一方、規定枚数Ｎを満たしていない場合は、補足ページデータ作成部８が規定枚数Ｎと画像ページデータ数の差分のページ数分のメモ帳ページデータを補足ページデータとして作成し（ステップＳ１０）、表紙ページデータと画像ページデータとメモ帳ページデータを合わせてフォトブックデータとする。
【００２５】
＜ページデータ作成＞
次に、図４を用いて表紙ページデータ、画像ページデータ、メモ帳ページデータの作成処理について説明する。表紙ページデータ作成部６は、図２のステップＳ３で選択した表紙ページの画像データ１１ａと、図２のステップＳ２で選択した表紙ページの背景画像１１ｂを合成して表紙ページデータ１１ｃを作成する。例えば、画像データ１１ａを背景画像１１ｂの中央に配置する。なお、表紙の背景画像１１ｂによっては画像データ１１ａを配置しないほうが見栄えが良い場合もある上、ユーザが表紙ページに画像データを配置することを好まない場合もあるため、表紙ページに画像データ１１ａを配置するか否かはユーザが選択できるものとしても良い。
【００２６】
画像ページデータ１２ｃについても同様に、画像ページデータ作成部７が図２のステップＳ３で選択した画像ページ用の画像データ１２ａと、図２のステップＳ２で選択した画像ページの背景画像１２ｂを合成して作成する。例えば、画像データ１２ａを背景画像１２ｂの中央に配置する。
【００２７】
メモ帳ページデータ１３ｃについても同様に、補足ページデータ作成部８がメモ帳用画像データ１３ａをメモ帳ページの背景画像１３ｂの中央に配置し、合成して作成する。なお、図３では画像ページの背景画像１２ｂとメモ帳ページの背景画像１３ｂに同一の画像を用いているが、これはフォトブックの中ページのデザインに統一感を持たせ、更に処理を単純にするためである。しかし、ユーザの好みに応じて画像ページとメモ帳ページで別の背景画像を用意しても良い。さらに、表紙ページデータ１１ａ、画像ページデータ１２ａ、メモ帳ページデータ１３ａの作成において、それぞれ背景画像の中央に画像データを配置するものとしたが、画像データの配置場所はこれに限らずユーザの好みに応じて変更しても良い。
【００２８】
次に、図５を用いて、表紙ページ、画像ページ、メモ帳ページ、裏表紙ページから構成される１冊のフォトブックの構成内容を具体例で説明する。フォトブック作成の規定ページ数を２４ページ、画像データ選択処理部３において選択されたフォトブックに使用する画像データ数を２２とする。図のように、表紙ページ１４に表紙として選択された１画像を配置し、中ページの画像ページ１５には、残りの２１画像を配置する。すると、フォトブック作成の規定ページ数である２４ページを満たすには、３ページ分の画像が不足するため、不足分を補うべくメモ帳ページを３ページ分作成し、２１ページの画像ページと３ページのメモ帳ページを合わせて中ページとし、フォトブック作成の規定ページ数２４ページとなるようにする。このように、表紙ページ、画像ページとメモ帳ページから構成される中ページ、裏表紙ページ１７を合わせて規定のフォトブックデータを構成する。
【００２９】
なお、本実施の形態のフォトブックデータ処理装置では、中ページに配置する画像データ数が不足する場合に、不足分の画像ページをメモ帳画像を配置するメモ帳ページで補うこととした。これにより、フォトブックに日記やコメントなどの思い出を写真と共に記録して残すことができ、新たな付加価値とすることができる。ただし、これに限らず、メモ帳画像に変わる別の用途を有する適切な画像を配置して補足ページデータとすることも出来る。
【００３０】
＜効果＞
本実施の形態のフォトブックデータ処理装置によれば、すでに述べたとおり以下の効果を奏する。すなわち、本実施の形態のフォトブックデータ処理装置は、外部指示を受けてフォトブックのサイズを設定するフォトブックサイズ選択部１と、画像データを受け付ける画像データ受付部３と、画像データ受付部３が受け付けた中ページ用画像データを用いて画像ページデータを作成する画像ページデータ作成部７と、画像ページデータのページ数が選択されたフォトブックサイズに応じたフォトブックの中ページの規定枚数に不足する場合に、不足分のページデータを、予め準備された画像データを用いて補足ページデータとして作成する補足ページデータ作成部８と、を備える。このように、フォトブックの総ページ数を規定数に設定し、この規定数に対して中ページに配置する画像データ数が不足する場合も、不足分の補足ページデータを作成して補うため、ユーザの手持ちの画像が少なくても、一定のページ数の同一形態のフォトブックを効率よく作成することが出来る。
【００３１】
さらに、画像データ受付部３は、入力された複数の画像データから選択したものを受け付ける。このような構成によっても、ユーザの手持ちの画像が少なくても、一定のページ数の同一形態のフォトブックを効率よく作成することが出来る。
【００３２】
また、補足ページデータ作成部８は、補足ページデータとして、メモ帳画像データを用いたメモ帳ページデータを作成する。これにより、フォトブックに日記やコメントなどの思い出を写真と共に記録して残すことができ、新たな付加価値とすることができる。
【産業上の利用可能性】
【００３３】
本発明のフォトブックデータ処理装置は、ユーザの手持ち画像が少ない場合にも、一定のページ数の同一形態のフォトブックを効率よく作成することができるため、ユーザの利用の幅を広げ、写真店などでフォトブックを大量に受注する場合に適用可能である。
【符号の説明】
【００３４】
１  フォトブックサイズ選択部、２  背景画像選択部、３  画像データ受付部、４  データ数判定部、５  画像データ追加判定部、６  表紙ページデータ作成部、７  画像ページデータ作成部、８  補足ページデータ作成部、１１ａ  表紙ページ用画像データ、１１ｂ  表紙ページ用背景画像、１１ｃ  表紙ページデータ、１２ａ  中ページ用画像データ、１２ｂ  中ページ用背景画像、１２ｃ  画像ページデータ、１３ａ  メモ帳用画像データ、１３ｂ  メモ帳ページ用背景画像、１３ｃ  メモ帳ページデータ。
【図１】
2011110775.tif 000003
【図２】
2011110775.tif 000004
【図３】
2011110775.tif 000005
【図５】
2011110775.tif 000006
【図４】
2011110775.tif 000007